(57)【要約】  エアロバイク発電機は（１００）、主フレーム（１１）および主フレームにピン接合される主動スプロケット（１３）を含む自転車フィットネス器具（１０）と；主フレームに設置され、回転軸（２０１）および回転軸に固定される従動スプロケット（２０３）を含む発電機（２０）と；主動スプロケット（１３）および従動スプロケット（２０３）を接続するチェーン（３０）と；発電機と電気的に接続され、発電機が生成した電気エネルギーを蓄えるバッテリ（４０）と；バッテリと電気的に接続され、バッテリの出力電流を調節するインバータ（５０）とを含む。上記エアロバイク発電機は体を鍛えることと発電を互いに組み合わせ、使用者の体を鍛えるだけでなく、体を鍛えるときに生成されるエネルギーを蓄え、このバイクは環境保護を実現した。【選択図】図１
2013541393.tif 000002
【特許請求の範囲】
【請求項１】
主フレームおよび該主フレームにピン接合される主動スプロケットを含む自転車フィットネス器具と、
該主フレームに設置され、回転軸および該回転軸に固定される従動スプロケットを含む発電機と、
該主動スプロケットおよび該従動スプロケットを接続するチェーンと、
該発電機と電気的に接続され、該発電機が生成した電気エネルギーを蓄えるバッテリと、
該バッテリと電気的に接続され、該バッテリの出力電流を調節するインバータと、
を含むエアロバイク発電機。
【請求項２】
該主フレームが台座、該台座に固定設置される自転車ビーム、ならびに該台座および該自転車ビームの間に固定設置される支持プレートを含み、該発電機が該支持プレートに可動設置される、請求項１に記載のエアロバイク発電機。
【請求項３】
該発動機に固定設置される固定プレートをさらに含み、該固定プレートおよび該支持プレートのうちの１つに第１定位溝が設けられ、別の１つに該第１定位溝内でスライドし、該従動スプロケットおよび該主動スプロケットの間の距離を調節することができる第１ロッキング部品が設けられる、請求項２に記載のエアロバイク発電機。
【請求項４】
該第１定位溝が該固定プレートの辺縁に設けられ、さらに該主動スプロケットから離れた方向に向かって延伸する、請求項３に記載のエアロバイク発電機。
【請求項５】
フライホイールをさらに含み、該フライホイールが該発電機に設置され、さらに該回転軸と固定される、請求項１に記載のエアロバイク発電機。
【請求項６】
該主フレームが台座および該台座に設置されるモータブラケットを含み、該発電機が該モータブラケットに可動設置される、請求項１に記載のエアロバイク発電機。
【請求項７】
該発動機と固定されるモータベースをさらに含み、該モータベースおよび該モータブラケットのうちの１つに第２定位溝が設けられ、別の１つに該第２定位溝内でスライドし、該発動機および該主動スプロケットの間の距離を調節することができる第２ロッキング部品が設けられる、請求項６に記載のエアロバイク発電機。
【請求項８】
該発電機が希土類永久磁石のコアレス発電機である、請求項１に記載のエアロバイク発電機。
【発明の詳細な説明】
【技術分野】
【０００１】
本発明はフィットネス器具に関し、特に発電機能を有するエアロバイクに関する。
【背景技術】
【０００２】
生活の質が日増しに高まるのに伴って、人々の健康意識も高まり、体を鍛える人も次第に多くなっている。従来のフィットネス運動器材は体を鍛えるためだけに使用されており、フィットネス運動器材で運動すると、体力を大きく消耗する。しかし、これらの体力から生成された多くのエネルギーは無駄に流出されており、エネルギーが次第に逼迫している現代社会にとって、資源の浪費と言わざるを得ない。
【発明の概要】
【発明が解決しようとする課題】
【０００３】
これに基づき、身体運動および発電を互いに組み合わせ、それによりエネルギーを節約するエアロバイク発電機を提供する必要がある。
【課題を解決するための手段】
【０００４】
エアロバイク発電機は、主フレームおよび主フレームにピン接合される主動スプロケットを含む自転車フィットネス器具と；主フレームに設置され、回転軸および回転軸に固定される従動スプロケットを含む発電機と；主動スプロケットおよび従動スプロケットを接続するチェーンと；発電機と電気的に接続され、発電機が生成した電気エネルギーを蓄えるバッテリと；バッテリと電気的に接続され、バッテリの出力電流を調節するインバータとを含む。
【０００５】
好ましい実施例において、主フレームは台座、台座に固定設置される自転車ビーム、ならびに台座および自転車ビームの間に固定設置される支持プレートを含み、発電機は支持プレートに可動設置される。
【０００６】
好ましい実施例において、発動機に固定設置される固定プレートをさらに含み、固定プレートおよび支持プレートのうちの１つに第１定位溝が設けられ、別の１つに第１定位溝内でスライドし、従動スプロケットおよび主動スプロケットの間の距離を調節することができる第１ロッキング部品が設けられる。
【０００７】
好ましい実施例において、第１定位溝は固定プレートの辺縁に設けられ、さらに主動スプロケットから離れた方向に向かって延伸する。
【０００８】
好ましい実施例において、フライホイールをさらに含み、フライホイールは発電機に設置され、さらに回転軸と固定される。
【０００９】
好ましい実施例において、主フレームは台座および該台座に設置されるモータブラケットを含み、該発電機は該モータブラケットに可動設置される。
【００１０】
好ましい実施例において、発動機と固定されるモータベースをさらに含み、モータベースおよびモータブラケットのうちの１つに第２定位溝が設けられ、別の１つに第２定位溝内でスライドし、発動機および主動スプロケットの間の距離を調節することができる第２ロッキング部品が設けられる。
【００１１】
好ましい実施例において、発電機は希土類永久磁石のコアレス発電機である。
【００１２】
上記エアロバイク発電機は体を鍛えることと発電を互いに組み合わせ、使用者の体を鍛えるだけでなく、体を鍛えるときに生成されるエネルギーを蓄えて、以後の必要なときに使用することができ、ある程度、省エネ、環境保護の作用を有する。
【図面の簡単な説明】
【００１３】
【図１】図１は、実施例１のエアロバイク発電機の立体組立概要図である。
【図２】図２は、図１に示すエアロバイク発電機を部分的に分解した立体概要図である。
【図３】図３は、図１に示す支持プレートの立体概要図である。
【図４】図４は、図１に示す発電機の立体概要図である。
【図５】図５は、図１に示す固定プレートの立体概要図である。
【図６】図６は、実施例２のエアロバイク発電機の立体組立概要図である。
【図７】図７は、図６に示すエアロバイク発電機を部分的に分解した立体概要図である。
【図８】図８は、図６に示すモータブラケットの立体概要図である。
【図９】図９は、図６に示すモータベースの上面図である。
【発明を実施するための形態】
【００１４】
以下に附図および複数の実施例を組み合わせ、エアロバイク発電機についてさらに詳細な説明を行う。理解すべきことは、例外の説明を行わない状況においても、以下に挙げる複数の実施例の特徴を、有益に相互結合することができることである。
【実施例】
【００１５】
図１を参照されたい。実施例１のエアロバイク発電機１００は自転車フィットネス器具１０、発電機２０、チェーン３０、バッテリ４０およびインバータ５０を含む。
【００１６】
同時に図２を参照されたい。自転車フィットネス器具１０は主フレーム１１および主動スプロケット１３を含む。主フレーム１１は、台座１１１および該台座１１１に固定設置される自転車ビーム１１３およびサドル１１５を含む。自転車ビーム１１３はおおよそＬ字型を呈し、その前端に使用者が握るためのハンドル１１７が形成される。主動スプロケット１３は自転車ビーム１１３の底部にピン接合される。主動スプロケット１３にさらにペダル１３１が設けられる。使用者はサドル１１５に座ってペダル１３１を踏むことにより、主動スプロケット１３を動かして回転させることができる。
【００１７】
主フレーム１１は、さらに台座１１１および自転車ビーム１１３の間に設置される２つの支持プレート１１９を含む。各支持プレート１１９はおおよそＵ字型であり、その両端は溶接などの方式でそれぞれ台座１１１および自転車ビーム１１３に固定することができる。図３を併せて参照されたい。各支持プレート１１９の中央部に、２つの固定孔１１８が設けられる。指示プレート１１９の作用としては、主フレーム１１の安定性を増加させることができ、使用者が身体運動をするとき、主フレーム１１に揺れが発生するのを防止する。発電機２０は、この２つの支持プレート１１９に可動設置される。
【００１８】
図４を併せて参照されたい。発電機２０は回転軸２０１および回転軸２０１に固定される従動スプロケット２０３を含む。発電機２０は、好ましくは希土類永久磁石のコアレス発電機である。
【００１９】
エアロバイク発電機１００は、さらに２つの固定プレート２１を含む。この２つの固定プレート２１は、複数のネジ（図示せず）で発電機２０の両側に固定される。図５を併せて参照されたい。好ましくは、各固定プレート２１に２つのおおよそ平行な第１定位溝２１１が設けられる。各第１定位溝２１１は固定プレート２１の辺縁に設けられ、さらに主動スプロケット１３から離れた方向に向かって延伸する。
【００２０】
好ましくは、エアロバイク発電機１００は、さらに４つの第１ロッキング部品４０を含む。各第１ロッキング部品４０は支持プレート１１９のうちの１つの固定孔１１８を通過し、さらに固定プレート２１の１つの第１定位溝２１１内に係止される。
【００２１】
組み立てるとき、まず２つの支持プレート１１９を台座１１１および自転車ビーム１１３の間に溶接する。その後、２つの固定プレート２１を複数のネジで発電機２０の両側に固定してから、４つの第１ロッキング部品４０で２つの固定プレート２１を発電機２０と一緒に２つの支持プレート１１９に係止する。最後に、チェーン３０で自転車フィットネス器具１０の主動スプロケット１３および発電機２０の従動スプロケット２０３を接続し、さらに導線で発電機２０とバッテリ４０およびインバータ５０を電気的に接続する。エアロバイク発電機１００の組立は完了する。
【００２２】
使用するとき、使用者がペダル１３１を踏むと、主動スプロケット１３を動かして回転させることができ、さらにチェーン３０を通して発電機２０の従動スプロケット２０３を動かして回転させ、それにより発電機２０が電気エネルギーを生成する。発電機２０は従動スプロケット２０３の回転速度に基づき、異なる電圧の電流を生成することができる。この電流はバッテリ４０に充電される。バッテリ４０に蓄えられた電気エネルギーがインバータ５０により調節されると、標準的な２２０Ｖ、５０Ｈｚの交流電流に変換され、室内照明または家庭用電気機器に使用することができる。
【００２３】
使用者は、さらに個人の体力に基づいて運動強度を調節することができる。本実施例において、第１ロッキング部品４０が第１定位溝２１１内でスライドする位置を調節することにより、発動機２０の従動スプロケット２０３および自転車フィットネス器具１０の主動スプロケット１３の間の距離を調節することができ、それによりチェーン３０の緩みを調節する。
【００２４】
上記エアロバイク発電機１００の構造は簡単で、操作しやすく、発電過程は安全で環境に優しい。使用者の体を鍛えるだけでなく、体を鍛えるときに生成されるエネルギーを蓄えて、以後の必要なときに使用することができ、ある程度、省エネ、環境保護の作用を有する。
【００２５】
第１定位溝２１１は支持プレート１１９に設けることもでき、このとき第１ロッキング部品４０は固定プレート２１に対応して設置されることを理解することができる。第１ロッキング部品４０の数量も４個に制限されない。
【００２６】
図６を参照されたい。実施例２のエアロバイク発電機２００および実施例１のエアロバイク発電機１００はおおよそ同じである。その異なる部分は、エアロバイク発電機２００がさらにフライホイール６０、モータブラケット７０、２つのモータベース８０および４つの第２ロッキング部品９０を含むことである。
【００２７】
図７を併せて参照されたい。フライホイール６０は発電機２０の回転軸（図示せず）に設置され、回転軸の慣性を増大させる。
【００２８】
図８を参照されたい。モータブラケット７０は２つの支持脚７１および２つの支持脚７１と接続される支持ブロック７３を含む。２つの支持脚７１は溶接などの方式により台座１１１に固定設置することができる。支持ブロック７３に４つの第２ロッキング部品９０に対応する４つの貫通孔７３１が設けられる。発電機２０はモータブラケット７０に可動設置される。
【００２９】
２つのモータベース８０は発電機２０を支持する。図９を参照されたい。各モータベース８０に、第２ロッキング部品９０の位置に対応して１つの細長形の第２定位溝８１が設けられ、その延伸方向は主動スプロケットと相対する。
【００３０】
組み立てるとき、まずモータブラケット７０を台座１１１に溶接し、さらに２つのモータベース８０をネジでフライホイール６０を備えた発電機２０の底部に固定する。その後、４つの第２ロッキング部品９０で各モータベース８０をモータブラケット７０に係止する。その他の組立過程は実施例１と類似しており、ここでは説明を省略する。
【００３１】
実施例１と似ているのは、使用者が運動強度を調節する必要があるとき、第２ロッキング部品９０が第２定位溝８１内でスライドする位置を調節することにより、発動機２０の従動スプロケット２０３および自転車フィットネス器具１０の主動スプロケット１３の間の距離を調節することができ、それによりチェーン３０の緩みを調節することである。
【００３２】
第２定位溝８１はモータブラケット７０に設けてもよく、このとき第２ロッキング部品９０はモータベース８０に対応して設置されることを理解することができる。
【００３３】
以上記載した実施例は本発明のいくつかの実施方式を表したに過ぎず、その描写は比較的具体的で詳細である。しかし、これによって本発明の特許範囲を制限すると理解することはできない。指摘すべきこととして、本分野の一般の技術者は、本発明の構想から逸脱しないことを前提に、さらに若干の変形および改良を行うことができるが、これらはすべて本発明の保護範囲に属する。したがって、本発明の特許の保護範囲は、添付する特許請求の範囲を基準とするべきである。
【図１】
2013541393.tif 000003
【図２】
2013541393.tif 000004
【図３】
2013541393.tif 000005
【図４】
2013541393.tif 000006
【図５】
2013541393.tif 000007
【図６】
2013541393.tif 000008
【図７】
2013541393.tif 000009
【図８】
2013541393.tif 000010
【図９】
2013541393.tif 000011
【国際調査報告】
2013541393.tif 000012
2013541393.tif 000013
2013541393.tif 000014
2013541393.tif 000015
2013541393.tif 000016
2013541393.tif 000017